(57)【要約】【課題】課題は、１・道糸に付着して上がってくる海水を除去し、釣り人の衣服や手足が濡れないようにすること。２・リールのスプール部に溜まる海水を少なくすること。３・道糸に付着して上がってくる海水で船の床面や船縁を濡らさないようにすること。の三つである。更に、本発明で特に重要視したことは、道糸水切り具は多くの釣り人が納得する釣具であり且つ実用性のある釣具でなければならないということである。【解決手段】本発明の道糸水切り具を作成するために創意工夫したこと及び性能は、以下の通り。材料は硬質素材（ステンレスの針金）を使用、水切り具本体の形を円錐台状にして、軽量化を図り、除去した海水の排出が容易にする。硬質素材は海水の塩に強く、水切り具に必要な弾力性と硬さがある。水切り具と道糸が接触する部分に除水資材（スポンジ）を使用し、道糸の付着水を除去する。釣り竿への装着方法は着脱装置（クリップ）で単純化した。【選択図】図１
2006197806.tif 000002
【特許請求の範囲】
【請求項１】
釣りの道糸に付着している水を除去する除水資材と
除水資材を挿入することができる形状で、除水資材が脱落しない構造で、海水の塩分に対す
る耐腐食性に優れた素材を材料とする水切り具本体からなる道糸水切り具。
【請求項２】
水切り具本体を釣り竿に着脱する機能を有する着脱装置を備えた道糸水切り
具からなる請求項１に記載の道糸水切り具。
【発明の詳細な説明】
【技術分野】
【０００１】
本発明は、魚釣りに使われる釣具で、釣りの道糸に付着している水を除去するために釣り竿に装着する水切り具に関するものである。詳しくは、硬質素材を材料として円錐台状にかたどった道糸水切り具本体と、その水切り具本体の中に挿入する除水資材と、水切り具本体を釣り竿に装着するための着脱装置からなる道糸水切り具である。
【背景技術】
【０００２】
特許出願２００１−１８０７５号（以下、特許文献１という）に、本発明は従来の問題点に鑑み、中通し竿における竿管内への水の浸入を十分に抑制することを課題とする（特許文献１の第０００５段落）及び本発明に係る中通し竿は、竿管内に釣糸を導入するための釣糸導入口を穂先部に有する中通し竿であって、前記穂先部には、釣糸導入口から竿管内に導入される釣糸を内側に挿通させて該釣糸に付着した水を切る環状水切り部材が、前記穂先部から離反した状態で紐部材を介して取り付けられてなることを特徴とする（特許文献１の要約の解決手段）の記載がある。
【０００３】
特許出願平５−１７２４９３号（以下、特許文献２という）に、本発明は、竿管内に水が浸入することを防止して釣糸の繰出しを円滑に行うことを目的とする（特許文献２の第０００４段落）及び本発明によれば、トップガイドの先端に弾性部材の水切り部材を設ければ、この部分において効果的な水切りがなされて、水はそのまま外部に落ちるため竿管内への水の浸入を防止できる。また、釣竿の先部内周に弾性部材の水切り部材を形成し、該水切り部材の前部に水抜き孔を形成すれば、この部分において効果的な水切りがなされて、後部への水の浸入を防止できる。更には、釣竿先部に線材によるフレーム構造体を具備すれば、この構造体部分で水切りされて落下し、後方への水の浸入を防止できる。このように水の浸入を防止できるので釣糸の付着が防止されて、釣糸の繰出しを円滑に行うことができる。（特許文献２の第００１９段落）の記載がある。
【０００４】
実用新案出願平９−５１３１号（以下、特許文献３という）に、本考案は船釣り、あるいは陸釣りの際の釣り糸巻き取り時に、釣り糸に付着した水を巻き取りながら除去する水切り具に関するものである（特許文献３の第０００１段落）及びこの考案は、ゴム材あるいはスポンジ材より形成される板状の水切り部本体の略中央に、釣り糸挿通用の切り目部を貫設し、その切り目部に釣り糸を挿通させて水を除去する構成とする（特許文献３の第０００２段落）の記載がある。
【０００５】
【特許文献１】特許出願２００１−１８０７５号（第０００５段落、要約の解決手段）
【特許文献２】特許出願平５−１７２４９３号（第０００４段落、第００１９段落）
【特許文献３】実用新案出願平９−５１３１号（第０００１段落、第０００２段落）
【発明の開示】
【発明が解決しようとする課題】
【０００６】
しかしながら、特許文献１と２では、中通し竿の水切り具の特許であり、技術である。このため、特許文献１と２では、本発明の、中通しではない一般的な船釣り用の道糸の水切り具を実現できないという問題点がある。また、特許文献３の水切り具は、構造が複雑で装着に手間と時間がかかり過ぎるという不都合がある。また、同実用新案出願の図１から８を見て、装置が大がかりで複雑であり、作製に手間と時間と費用がかさむものと推定する。更に、実際に魚釣りをする時に、釣り人が握っている竿のリールのすぐ前にこの実用新案文献１の水切り具が装着されるので、水切り具であると同時に不必要な突起物になってしまうことがある。釣り船の限られたスペースでは、撒き餌を詰めたり、餌を付けたり、仕掛けを海に投入するのにこの突起物は障碍になる。以上の理由から、特許文献３の水切り具は、実際の釣りに使用するには支障が大き過ぎ、実用性に乏しい。そこで、本発明では、特許文献１と２と３の技術とは、異なる技術で、新しい道糸水切り具を提供しようと考える。
【０００７】
釣りの道糸を巻いて、仕掛けを水中から引き上げる釣具をリールという。船釣り中に、付け餌交換の時や魚がかかった時にポイントから仕掛けがつながっている道糸を巻き上げる。その時、リールで巻き上げる道糸に海水が大量に付着して海面から上がってくる。一般的な船釣りの水深（道糸の長さ）は２０メートルから１００メートルである。１．５メートルから２．３メートルの竿に先端から５個乃至６個のガイドが装着されている。その、５個乃至６個のガイドの中を道糸が通過する。この時、道糸に付着している海水の一部はその５個乃至６個のガイドと道糸の接触部分で除去されるが、リールに一番近い、竿の最後のガイドを通過してリールまで運ばれる海水が大量である。本発明では、リールで巻き上げられる道糸に付着して海面から上がってくる大量の海水への対応策を検討する。
【０００８】
釣り人が、道糸を巻き上げる時、竿に装備されている６個前後のガイドとリールの部分で道糸に付着している海水が飛散する。その海水の一部が衣服や手、足、顔にかかり、釣り人に不快感を与えている。海上の強い北風にさらされる冬季の魚釣りでは、手や袖口に不快感を覚えるというより、不快感を越えて、寒さで手がしびれるほどの冷たさを感じる日がある。衣服や手足に降りかかる海水を最小限にすることが解決しようとする一つ目の課題である。
【０００９】
また、船釣りで、仕掛けをポイントまで下げて、手元まで巻き上げる作業を３回から４回するだけで、道糸に付着したまま、リールまで運ばれる海水で、リールのカバー及びスプール（巻き取り部）全体がびっしょりと濡れてしまうのが現状である。最新のデジタル化製品は僅かの海水にも敏感に反応を起こす。リールは多数の歯車を組み合わせ、コンピュータを組み込んで精巧に作られている。そのためにリールは高価である。釣り人が愛用しているリールを海水の塩害から守ることが解決しようとする二つ目の課題である。
【００１０】
更に、道糸を巻き上げる時、リールと手元から数えて２番目までのガイドとの間にある道糸から飛散する海水は釣り人に直接付着する他、釣り人の釣り竿の下の周辺、床面及び竿近くの船縁をびしょ濡れにしてしまう。海水で濡れた船の船縁や床面は滑りやすく、釣り人が手や足を滑らせて船から転落する危険も生じる。船の床面や船縁を濡らさないようにすること、これが解決しようとする三つ目の課題である。
【００１１】
解決しようとする課題を要約すると、一つ目の課題は道糸に付着して上がってくる海水を除去し、釣り人の衣服や手足が濡れないようにすることである。二つ目の課題はリールに付着する海水を極力少なくすることである。三つ目の課題は、船の床面や船縁を濡らさないようにすることである。
【課題を解決するための手段】
【００１２】
以上三つの課題を解決する新しい釣具の作成を研究した。ここで、発明者が特に重要視したことは、新しい釣具は、多くの釣り人が納得する釣具であり且つ実用性のある釣具でなければならないということである。実用性があるということは、軽量であること、竿やリールに大きな負荷がかからないこと、取り扱いが簡単で釣り人に新しい負担とならないこと、価格が安価であることである。
種々の試行錯誤を鋭意重ねた結果、本発明が解決しようとする課題を全て解決した道糸水切り具を実現した。
【００１３】
本発明の道糸水切り具の特徴は次の通りである。着脱装置で竿に片手で装着できる。海水の塩分に強い硬質素材を水切り具本体の材料にする。硬質素材で水切り具に必要な弾力性と硬さを確保する。水切り具の本体に硬質素材を材料として使用し、形を円錐台状にすることで軽量化が実現すると同時に、除去した海水の排出を容易にする。濡れた道糸の水を除去するために、道糸と接触する部分に除水資材を使用する。除水資材の中心部を道糸が通過するように、除水資材に切り込みを入れる。なお、本発明の道糸水切り具の着脱装置、硬質素材、除水資材の具体的材料名は第００２５段落に記載してある。
【００１４】
水切り具本体の材料としては、ステンレスの針金の他、セラミックやチタン製針金等塩に
対する耐腐食性に優れた硬質素材を使うことができる。また、除水資材脱落防止のために、釣り竿と平行の位置関係に装置される水切り具本体の先端側（釣り竿の先端方向）と後端側（釣り竿の手元方向）は水切り具本体の中央部より径を短く加工してある。更に、道糸水切り具本体の形状をウズラの卵の形や円筒形とすることもできる。
【発明の効果】
【００１５】
海中から仕掛けをリールで巻き上げる時、釣り人の周辺及び手足や衣服に飛散し付着する海水を防止し、釣り人の水濡れと不快感をなくすことができる。
【００１６】
本発明の水切り具を装着することでリール巻き上げ中に水切り具が、道糸で運ばれる海水を釣り竿の途中で除去し、竿及びリールの塩害による腐食を防止する。
【００１７】
本発明の水切り具内を道糸が通過する時、道糸に付着している海水及び海水の汚れを除去するので道糸の色分けが鮮明となり、海水及び海水による汚れを除去することで道糸の保守に効果がある。道糸には１メートルもしくは１０メートル毎に異なる色で着色してある。道糸の色を釣り人が確認すると仕掛けの水深が分かるようになっている。
【００１８】
本発明の水切り具を装着することでリールのカバー部に付着したり、スプール（巻き取り部）全体をびっしょりと濡らしてしまう海水が極端に少なくなりリールの錆防止、リール内部装置の保守に効果がある。
【００１９】
本発明の水切り具は、軽量（５グラム）であり、釣り竿、道糸、リールへの負荷は極小である。
【００２０】
本発明の水切り具は、構造が単純であり、製造に手間がかからない。使用方法が簡易であるので多くの釣り人が使用できる。
【００２１】
本発明の水切り具の水切り能力は実験の結果、使用者（釣り人）は水を被らず、リールに巻かれる道糸は湿る程度であり、水切り能力は完璧である。
【００２２】
道糸が除水資材の中を通過する時、道糸が濡れているため、通過の抵抗は非常に小さいが、水切り効果は顕著である。水切り具の本体の形は円錐台状であるので道糸の挿入、取り出し及び除水資材の出し入れが容易にできる。取り扱いが簡単で、構造が単純なので製作費用は低く、道糸水切り具は安価である。
【発明を実施するための最良の形態】
【００２３】
一般的な船釣りの仕掛け、方法は次の通りである。釣り竿の長さは１．５メートルから２．３メートルで、仕掛けの先端部分には、錘（２０号から１００号）が付けてあり、その次にマキエカゴ（撒き餌入れ）があり、その次に魚のかかる針を付けてある。以上の仕掛けが長さ１５０メートルから２００メートルの道糸の先に結んであり、道糸はリールに巻いてある。
【００２４】
船が釣り場（ポイント）に着いたら、マキエカゴに撒き餌を詰めて、仕掛け針にエサを付け、ポイントの深さまで仕掛けを沈めて、目的の魚の当たり（食いつき）を探る。当たりがあるところで魚釣りが始まる。魚の当たりがある場所（ポイント）を探し出すことができるかどうかが魚釣りの最大の鍵である。ポイントの善し悪しがその日の釣果を左右する。
【００２５】
以上の通りの魚釣りの状況で使用される、本発明の道糸水切り具の実施の形態を本発明の道糸水切り具の図１に基づいて説明する。本発明の水切り具は、海水の塩分で発生する錆に強い硬質素材（ステンレスの針金）を材料にして螺旋形で円錐台状の形に作製した道糸水切り具本体部分（１０１）と、その道糸水切り具本体部分の中に挿入する除水資材（スポンジ）（１０２）と本発明の道糸水切り具を釣り竿に装着するために、着脱装置（ステンレスの針金の一端を溶接してあるクリップ）（１０３）からなるものである。本発明の道糸水切り具の材料として硬質素材（ステンレスの針金）を用いることで水切り具としての弾力と硬さを確保し、海水に含まれる塩分で発生する錆を防止することが可能となっている。更に、スポンジが除去する海水はステンレスの針金の隙間から容易に排出される。
【００２６】
本発明の道糸水切り具に使われている除水資材は円錐台状の道糸水切り具本体に安定的
にはまりこむ形と大きさでなければならない。このために、水切り具本体の内径より、除水資材の外径を長く工作する。更に、除水資材の脱落防止のために、釣り竿と平行の位置関係に装置される水切り具本体は先端側（釣り竿の先端方向）（１０４）、後端側（釣り竿の手元方向）（１０５）共に水切り具本体の中央部より径を短く加工してある。これで除水資材の脱落は完全に防止できる。
【００２７】
以上の通り、本発明の道糸水切り具の本体は、除水資材を包む型式で、円錐台状になっているので、海水の塩分に強くなければならないということの他に、竿に装着されるので弾力性と硬さと軽さが求められる。このため、本発明の道糸水切り具本体に使用する材料は、釣具として、重量は軽く、弾力性と硬さあり、海水の塩分に対する耐腐食性に優れた硬質素材であれば、セラミックやチタン製針金等ステンレス以外の材料でも良い。
【００２８】
切り込みが施されている除水資材（スポンジ）の中心に挟み込まれる道糸は、釣り竿と平行にならなければならない。つまり、除水資材（スポンジ）を包み込んでいる道糸水切り具本体は釣り竿と平行の位置関係となるように装置されなければならない。そうすることで、除水資材（スポンジ）の中を通過する道糸に発生する不必要な抵抗を少なくすることができる。
【００２９】
硬質素材（ステンレスの針金）に備わっている弾力性と硬さが、本発明の道糸水切り具と釣り竿の平行の位置関係を保持する。補足説明すると、釣り竿のメーカーが異なることや手作りであることが理由で、釣り竿に装着してある道糸ガイドの高さ（大きさ）が釣り竿により若干異なる。このため、道糸水切り具と釣り竿を平行の位置関係に保つために、水切り具本体の位置を微妙に調節しなければならないことがある。この時、硬質素材（ステンレスの針金）は、ある程度の曲げを加えることができるし、曲げた後の水切り具としての硬さも保持できる。道糸水切り具の位置（高さ）の調整に、硬質素材（ステンレスの針金）に備わっている弾力性と硬さが必要不可欠である。
【００３０】
本発明の水切り具の材料に硬質素材（ステンレスの針金）を用いて、本体部分の形を螺旋形の円錐台状にして、本体部分に隙間を作り、水切り具の軽量化を実現し、除水資材（スポンジ）が除去する海水の排出が容易になり、道糸通しと除水資材（スポンジ）のはめ込みが短時間で簡単にできるようになっている。魚釣りは長時間となるので、新たに竿に装着する道糸水切り具が釣り人の負担にならないように、極力、軽くすること及び道糸水切り具が釣りの動作中に全く障碍とならないことを前提に研究した。その結果、小型で５グラムの重さの道糸水切り具が実現した。
なお、一般的な船釣り具の重さは、釣り竿（４００グラム）、仕掛け（錘・道糸を含めて２５０から４００グラム）、リール（８００から１，０００グラム）であるので、船釣り一式の全重量は、１，５００グラムから１，８００グラムである。  
【００３１】
本発明の道糸水切り具の釣り竿への装着方法を図２に基づいて説明する。
釣りの仕掛けを全て装備した後、以下の手順で行う。
釣り竿の先端から３番目と４番目の道糸ガイドの間に道糸水切り具を着脱装置（クリップ）で装着する。
道糸を道糸水切り具に入れ込む。
除水資材（スポンジ）に施してある切り口に道糸をはめ込む。
道糸をはめ込んだ除水資材（スポンジ）を道糸水切り具に押し込む。
以上で装着を完了する。装着所要時分は、装着方法を聞いたり、説明図を見た場合、普通の人で３０秒以内である。なお、試作品第１号から本発明の道糸水切り具完成までに実施した装着経験の豊富な発明者は１０秒以内で装着することができる。
【００３２】
特許文献１と２では、中通し竿のための水切り装置の特許であり、技術である。このため、特許文献１と２では、本発明の、中通しではない一般的な船釣り用の道糸の水切り具を実現できないという問題点がある。また、特許文献３の水切り具は、構造が複雑で装着に手間と時間がかかり過ぎる。また、同実用新案出願の図１から８を見て、装置が大がかりで複雑であり、作製に手間と時間と費用がかさむという難点があると推定する。更に、釣り人が釣り中に握っている竿のリールのすぐ前にこの水切り具が装着されるので水切り具というよりむしろ突起物となってしまう。釣り船のような限られたスペースでは、撒き餌を詰めたり、餌を付けたり、仕掛けを海に投入する際に障碍になる。以上の通りの道糸水切り具の技術の現状を踏まえて、本発明は、構造が単純で小型で製造しやすく、水切り効果は完璧で、取り扱いが簡単な水切り具を種々検討した。その結果、装着が容易で、水切り能力は高性能で、軽くて小型である道糸水切り具を開発した。多くの釣り人に喜んで使ってもらえる、実用的な水切り具である。
【実施例１】
【００３３】
本発明の道糸水切り具の効果について実験を試みた。表１に基づいて説明する。
【００３４】
【表１】
2006197806.tif 000003
本発明の水切り具の実験・使用条件は次の通りである。
（１）実験日      平成１６年１２月１６日（日）。
（２）場所        谷山港沖１．５キロメートル。水深４５メートル。
（３）釣りセット  錘８０号、仕掛け  てんびん、マキエカゴ、道糸  ＰＥ６号、手動リール、電動リール（ダイワ スーパータナコンＳ５００Ｗ）、竿の長さ１．８メートル。
（４）実験回数    午前２回、午後２回。数値は計４回の平均、秒未満は四捨五入。
（５）実験者      発明者。
【００３５】
表１の実験では、本発明の道糸水切り具をセットすることで発生する二つの問題点を調べてみる。問題点の一つは、本発明の道糸水切り具を装着した場合、水切り具によって発生する道糸への抵抗である。仕掛けを下げ降ろす時と巻き上げる時が重くなるのではないかという懸念があった。しかし、実験の結果、本実験では、水切り具を装着した場合と装着しなかった場合の、仕掛けがポイントまで到達する時分及びポイントから海面まで巻き上げる時分の差は、手動リール、電動リールのいずれの場合も１から２秒以内である。水切り具の抵抗の程度、特にリールの巻き上げの重さに加わる影響が実験前に懸念されたが、その影響は釣り全体に、全く支障がないことが分かった。
【００３６】
表１の実験で掲げる二つ目の問題点は、本発明の道糸水切り具にどれほどの効果があるかということである。海水が道糸に付着して上がってくるリール巻き上げの状況を観測してみる。まず、水切り具を装着しない通常の魚釣りでは、リールで道糸を巻き上げる時、道糸に付着している海水の飛沫が、釣り人に降りかかり、衣服・手足や靴・顔やメガネに付着する。リールはカバー部分に海水が付着し、スプール（巻き取り部）全体に海水が溜まる。船縁や床面が濡れる。濡れた船縁や床面は、釣り人が手足を滑らせる危険がある。
【００３７】
一方、本発明の道糸水切り具を装着した場合、リールで道糸を巻き上げる時、道糸に付着している海水は本発明の道糸水切り具で除去されるので、飛散する海水は無く、釣り人の衣服・手足や靴・顔やメガネには付着しない。また、リールに巻かれる道糸は湿りが付く程度である。更に、リールのカバー部分に付着したり、スプール（巻き取り部）まで運ばれて溜まる海水はない。船縁も床面も濡れない。以上の通り、リールに巻かれる道糸に湿りが残る程度で、本発明の道糸水切り具の海水除去効果は、完璧である。
【００３８】
表１の実験の結果、釣り竿の最先端と２、３番目のガイドで除去される海水も多いが、釣り竿の最先端から３番目と４番目の間に装着する道糸水切り具で、１回の巻き上げで１５ミリリットルの海水を除去することができる。本発明の水切り具の効果は、非常に大きいことが分かった。海水の採取と計量方法は次の通りである。本発明の道糸水切り具を竿に装着し、その道糸水切り具を乾いた綿でくるんで、一旦、仕掛けを海底近くのポイントまで下げて、そこから仕掛けを１回巻き上げて、道糸水切り具及び水切り具をくるんだ綿が吸収した海水の量を計量する。計量の結果が１５ミリリットルである。
【実施例２】
【００３９】
発明者は、実施例２として、本発明の道糸水切り具の試作品の装着実験を試みた。表２を説明する。
【００４０】
【表２】
2006197806.tif 000004
実施例２の実験・使用条件は次の通りである。
（１）実験日時    平成１７年１月１７日（月）  ８：００。
（２）場所        錦江湾、鴨池港沖５キロメートル。水深８０メートル。
（３）竿          釣り人手作り、竿の長さ１．８メートル。  
（４）実験回数    装着方法未説明で１回、説明後３回。
（５）参加者      実験者  釣り仲間（釣り人）、依頼人  発明者。
【００４１】
日時は平成１７年１月１７日、本発明の道糸水切り具が通常使われる洋上で実験を行った。場所は錦江湾、鴨池港沖５キロメートル。実験方法は、釣り仲間が、餌を付け、撒き餌を詰めて、全ての準備を済ませて、今から海底に仕掛けを投入しようとした時、本発明の道糸水切り具を説明なしで、竿に装着するように依頼した。なお、依頼した相手は、以前、魚釣りに同行した時、発明者が試作品の実験のために釣り竿に密かに付けていた道糸水切り具を気にしていた釣り仲間である。発明者と釣り仲間とは長いつき合いだが、この実験の日まで、発明者は、道糸水切り具の効能や試作品の実験等について一切言及していない。不思議そうな顔をしたが、依頼を受けてくれた。
【００４２】
この日の装着実験の結果は、道糸水切り具装着の最初の所要時分は１分３０秒であった。次に、同じ仲間に本発明の道糸水切り具の装着の手順を説明した。説明後の装着時分は、１回目から、３０秒以内であった。使用後の釣り仲間の感想は、次の通りである。
１．最初、装着する時、水切り具で発生する道糸に対する抵抗が大きく、仕掛けの下げ降ろしに時間がかかったり、道糸の巻き上げが異常に重くなるのではないかという心配があったが実際に使ってみると装着前後で道糸に発生する抵抗の差は、全く感じない。この水切り具を装着した場合、道糸の上げ下げやリールの取り扱いに何らの変化も支障もない。
２．水切り具の装着は片手ででき、非常に簡単である。
３．海水で衣服、手足が濡れない。海水は、顔にかからず、メガネが汚れない。
４．リールのカバー部に水が付着しない、スプール（巻き取り部）に水が溜まらない。
５．この水切り具を装着するメリットはあるがデメリットは見つからない。
【図面の簡単な説明】
【００４３】
【図１】本発明の道糸水切り具である。
【図２】本発明の道糸水切り具の装着方法説明図である。
【符号の説明】
【００４４】
１０１  道糸水切り具本体（ステンレスの針金）。
本発明の道糸水切り具の螺旋形で円錐台状の部分。
１０２  除水資材（スポンジ）。
水切り部本体の中に挿入する除水資材（スポンジ）。
除水資材（スポンジ）は水切り部本体の中に安定的に納まる大きさと形。
除水資材（スポンジ）に道糸を通すための切り込みが入れてある。
１０３  着脱装置（クリップ）。
水切り具本体と除水資材（スポンジ）を釣り竿に装着する着脱装置（クリップ）。
１０４  先端側（水切り具本体の中央より短い形、脱落防止）
１０５  終端側（水切り具本体の中央より短い形、脱落防止）。
本発明の道糸水切り具の中に挿入する除水資材（スポンジ）の脱落防止のために、釣り竿と平行の位置関係に装置される水切り具本体は先端側（釣り竿の先端方向）、後端側（釣り竿の手元方向）共に水切り具本体の中央部より径を短く加工してある。
１０６  切り込み
２０１  釣り竿、道糸水切り具装着部
２０２  釣り竿の先端から３番目と４番目の道糸ガイドの間に道糸水切り具を着脱装置
（クリップ）で装着する。
２０３  道糸を道糸水切り具に入れ込む。
２０４  除水資材（スポンジ）に施してある切り口に道糸をはめ込む。
２０５  道糸をはめ込んだ除水資材（スポンジ）を道糸水切り具に押し込む。
【図１】
2006197806.tif 000005
【図２】
2006197806.tif 000006